(57)【要約】      （修正有）【課題】棚板を配置する庫内全体を明るくできる収納装置を提供する。【解決手段】導光性を有する四角形状の棚板25の角部を切り欠いて、発光ダイオード素子37が発する光を取り入れる入光部31を設ける。発光ダイオード素子37は、棚板25の中央域の方向に光軸が向くように配設した発光ダイオード素子37aと、棚板25の周辺部に沿って光軸が向くように配設した発光ダイオード素子37bとを備える。棚板25の上面および下面に、棚板25内を導光する光を棚板25外に出射させる拡散手段32を設ける。発光ダイオード素子37が発する光を棚板25の角部から入射するため、発光ダイオード素子37の数が少ない場合でも、棚板25の輝度むらを低減し、庫内全体を明るくする。【選択図】図１
2007032861.tif 000002
【特許請求の範囲】
【請求項１】
発光素子と；
四角形状でその角部が切り欠かれて発光素子が発する光を取り入れる入光部が設けられた導光性を有する棚板と；
棚板の上面および下面の少なくとも一方に設けられ、棚板内を導光する光を棚板外に出射させる拡散手段と；
を具備していることを特徴とする収納装置。
【請求項２】
発光素子は、棚板の中央域の方向に光軸が向くように配設された発光素子と、棚板の周辺部に沿って光軸が向くように配設された発光素子とを有する
ことを特徴とする請求項１記載の収納装置。
【請求項３】
発光素子と；
発光素子が発する光を線状の光源に変換する線状発光体と；
線状発光体に対向して配設され、線状発光体からの光を取り入れる導光性を有する棚板と；
棚板の上面および下面の少なくとも一方に設けられ、棚板内を導光する光を棚板外に出射させる拡散手段と；
を具備していることを特徴とする収納装置。
【請求項４】
収納庫内に配設される導光性を有する棚板と；
発光素子と；
発光素子が発する光を棚板内と収納庫の内壁とに向けて振り分ける光制御手段と；
棚板の上面および下面の少なくとも一方に設けられ、棚板内を導光する光を棚板外に出射させる拡散手段と；
を具備していることを特徴とする収納装置。
【請求項５】
光制御手段は、発光素子が発する光を棚板内と収納庫の内壁と棚板の下方とに向けて振り分ける
ことを特徴とする請求項４記載の収納装置。
【請求項６】
収納庫内に配設される導光性を有する棚板と；
発光素子を有し、発光素子が発する光を棚板内に導光させるとともに収納庫の内壁を照明するように収納庫の内壁に固定される照明手段と；
を具備していることを特徴とする収納装置。
【請求項７】
照明手段は、発光素子が発する光を棚板内に導光させるとともに収納庫の内壁および棚板の下方を照明するように収納庫の内壁に固定される
ことを特徴とする請求項６記載の収納装置。
【請求項８】
収納庫の内壁に固定された照明手段と収納庫内に配置された棚板との間に隙間が形成されている
ことを特徴とする請求項６または７記載の収納装置。
【請求項９】
棚板の下面に、下方から向かってくる光を反射する下面反射手段が設けられている
ことを特徴とする請求項１ないし８いずれか一記載の収納装置。
【請求項１０】
棚板の先端に、棚板内を導光する光を棚板外に出射させる先端反射手段が設けられている
ことを特徴とする請求項１ないし９いずれか一記載の収納装置。
【請求項１１】
請求項１ないし１０いずれか一記載の収納装置を有する冷蔵庫本体と；
収納装置の内部を冷却する冷却手段と；
を具備していることを特徴とする冷蔵庫。
【発明の詳細な説明】
【技術分野】
【０００１】
本発明は、発光素子を照明に用いた収納装置および冷蔵庫に関する。
【背景技術】
【０００２】
従来、冷蔵庫では、表面に光触媒膜を形成した導光板を冷蔵庫本体の背面パネルとして兼用し、この導光板の両側辺部に配列した複数の紫外線発光ダイオード素子が発する紫外線を導光板内に導光し、導光板の表面の光触媒膜に紫外線を照射することにより、冷蔵庫内を脱臭する脱臭装置が提案されている。
【０００３】
また、導光板の表面から波長４１０ｎｍ以上の可視光を出射させるようにすることにより、冷蔵庫内を照明することを可能としている（例えば、特許文献１参照。）。
【特許文献１】特開２００３−２９０６６４号公報（第５頁、図５）
【発明の開示】
【発明が解決しようとする課題】
【０００４】
冷蔵庫本体の背面パネルを兼用する導光板に発光ダイオード素子が発する光を導光させ、導光板の表面から出射する光で庫内を照明することができるが、発光ダイオード素子が発する光は指向性が強く、スポット的に照明する特性があるため、庫内全体を明るくすることはできなかった。すなわち、複数の発光ダイオード素子を導光板の側辺部に配列しているため、発光ダイオード素子の数が少ない場合、隣り合う発光ダイオード素子同士の間で導光板に暗部が生じやすく、この暗部が生じることで、導光板に輝度むらが発生するとともに、庫内全体が暗く感じやすくなる問題がある。
【０００５】
本発明は、このような点に鑑みなされたもので、庫内全体を明るくできる収納装置および冷蔵庫を提供することを目的とする。
【課題を解決するための手段】
【０００６】
請求項１記載の収納装置は、発光素子と；四角形状でその角部が切り欠かれて発光素子が発する光を取り入れる入光部が設けられた導光性を有する棚板と；棚板の上面および下面の少なくとも一方に設けられ、棚板内を導光する光を棚板外に出射させる拡散手段と；を具備しているものである。
【０００７】
発光素子は、例えば、可視光を発する発光ダイオード素子が用いられ、青色発光ダイオード素子や紫外発光ダイオード素子とこれらが発する光で励起して可視光を発光する蛍光体との組み合わせでもよい。
【０００８】
棚板は、例えば、アクリル樹脂などの透明な材料で形成され、角部を斜めに切り取った形状とすることで入光部が形成される。
【０００９】
拡散手段は、棚板の全域に等間隔毎に設けてもよいし、棚板の全体に設けてもよい。棚板の上面に拡散手段を設ければ、棚板に載る物品を下方から照明し、また、棚板の下面に拡散手段を設ければ、棚板の下方に位置する物品を上方から照明する。
【００１０】
請求項２記載の収納装置は、請求項１記載の収納装置において、発光素子は、棚板の中央域の方向に光軸が向くように配設された発光素子と、棚板の周辺部に沿って光軸が向くように配設された発光素子とを有するものである。
【００１１】
請求項３記載の収納装置は、発光素子と；発光素子が発する光を線状の光源に変換する線状発光体と；線状発光体に対向して配設され、線状発光体からの光を取り入れる導光性を有する棚板と；棚板の上面および下面の少なくとも一方に設けられ、棚板内を導光する光を棚板外に出射させる拡散手段と；を具備しているものである。
【００１２】
線状発光体は、例えば、発光素子が発する光を導光する導光体で構成される。
【００１３】
請求項４記載の収納装置は、収納庫内に配設される導光性を有する棚板と；発光素子と；発光素子が発する光を棚板内と収納庫の内壁とに向けて振り分ける光制御手段と；棚板の上面および下面の少なくとも一方に設けられ、棚板内を導光する光を棚板外に出射させる拡散手段と；を具備しているものである。
【００１４】
光制御手段は、例えば、発光素子が発する光を入射して出射方向を制御するレンズで構成される。
【００１５】
請求項５記載の収納装置は、請求項４記載の収納装置において、光制御手段は、発光素子が発する光を棚板内と収納庫の内壁と棚板の下方とに向けて振り分けるものである。
【００１６】
請求項６記載の収納装置は、収納庫内に配設される導光性を有する棚板と；発光素子を有し、発光素子が発する光を棚板内に導光させるとともに収納庫の内壁を照明するように収納庫の内壁に固定される照明手段と；を具備しているものである。
【００１７】
照明手段は、例えば、発光素子以外に、レンズ、反射体などを用いて、光を制光してもよい。
【００１８】
請求項７記載の収納装置は、請求項６記載の収納装置において、照明手段は、発光素子が発する光を棚板内に導光させるとともに収納庫の内壁および棚板の下方を照明するように収納庫の内壁に固定されるものである。
【００１９】
請求項８記載の収納装置は、請求項６または７記載の収納装置において、収納庫の内壁に固定された照明手段と収納庫内に配置された棚板との間に隙間が形成されているものである。
【００２０】
隙間は、空気の流通によって発光素子を冷却可能な寸法を有している。
【００２１】
請求項９記載の収納装置は、請求項１ないし８いずれか一記載の収納装置において、棚板の下面に、下方から向かってくる光を反射する下面反射手段が設けられているものである。
【００２２】
下面反射手段は、例えば、棚板の下面に形成された白色塗装面などで形成される。
【００２３】
請求項１０記載の収納装置は、請求項１ないし９いずれか一記載の収納装置において、棚板の先端に、棚板内を導光する光を棚板外に出射させる先端反射手段が設けられているものである。
【００２４】
先端反射手段は、棚板の先端に形成された反射面や棚板の先端に配置された反射板などで構成される。光を棚板外に出射させるとは、光を棚板の上面や下面に出射させることをいう。
【００２５】
請求項１１記載の冷蔵庫は、請求項１ないし１０いずれか一記載の収納装置を有する冷蔵庫本体と；収納装置の内部を冷却する冷却手段と；を具備しているものである。
【発明の効果】
【００２６】
請求項１記載の収納装置によれば、四角形状の棚板の角部が切り欠かれて設けられた入光部から発光素子が発する光を入射させるため、発光素子の数が少ない場合でも、発光素子間で棚板に暗部が生じることがなく、棚板の輝度むらを低減できるとともに、庫内全体を明るくできる。
【００２７】
請求項２記載の収納装置によれば、請求項１記載の収納装置の効果に加えて、棚板の周辺部に沿って光軸が向くように配設された発光素子からの光で棚板の周辺部を光らせるため、棚板の周辺部に強度確保のためにリブが設けられている場合でも、棚板の周辺部が明るく光り、それによって収納庫の内壁が明るく光り、庫内全体を明るくできる。
【００２８】
請求項３記載の収納装置によれば、線状発光体で発光素子が発する光を線状の光源に変換し、この線状発光体からの光を棚板に入射させるため、棚板に暗部が生じることがなく、棚板の輝度むらを低減できるとともに、庫内全体を明るくできる。
【００２９】
請求項４記載の収納装置によれば、光制御手段で発光素子が発する光を棚板内と収納庫の内壁とに向けて振り分けるため、棚板内に効率的に光を入射させ、棚板から出射する光で収納庫内の物品を明るく照明できるとともに、収納庫の内壁に効率的に光を照射でき、庫内全体を明るくできる。
【００３０】
請求項５記載の収納装置によれば、請求項４記載の収納装置の効果に加えて、光制御手段で発光素子が発する光を棚板の下方に向けても振り分けるため、棚板の下方の物品を明るく照明できる。
【００３１】
請求項６記載の収納装置によれば、収納庫の内壁に固定される照明手段で発光素子が発する光を棚板内に導光させるとともに収納庫の内壁を照明するため、棚板内に光を入射させて収納庫内の物品を明るく照明できるとともに、収納庫の内壁に光を照射でき、庫内全体を明るくできる。
【００３２】
請求項７記載の収納装置によれば、請求項６記載の収納装置の効果に加えて、照明手段で棚板の下方も照明するため、棚板の下方の物品を明るく照明できる。
【００３３】
請求項８記載の収納装置によれば、請求項６または７記載の収納装置の効果に加えて、収納庫の内壁に固定された照明手段と収納庫内に配置された棚板との間に隙間が形成したため、その隙間を通じて空気が流れ、例えば冷蔵庫の場合には冷気が流れ、発光素子を効率よく冷却でき、発光素子の発光効率を向上できる。
【００３４】
請求項９記載の収納装置によれば、請求項１ないし８いずれか一記載の収納装置の効果に加えて、棚板の下面に設けた下面反射手段で下方から向かってくる光を反射するため、棚板の下方の物品を明るく照明できる。
【００３５】
請求項１０記載の収納装置によれば、請求項１ないし９いずれか一記載の収納装置の効果に加えて、棚板の先端に設けた先端反射手段で棚板内を導光する光を棚板外に出射させるため、棚板からの光の出射効率を向上でき、物品を明るく照明できる。
【００３６】
請求項１１記載の冷蔵庫によれば、請求項１ないし１０いずれか一記載の収納装置を用いたため、庫内全体を明るくできる。
【発明を実施するための最良の形態】
【００３７】
以下、本発明の一実施の形態を図面を参照して説明する。
【００３８】
図１ないし図３に第１の実施の形態を示し、図１は収納装置の棚板部分の平面図、図２は棚板の入光部を示す断面図、図３は収納装置を適用した冷蔵庫の断面図である。
【００３９】
図３において、収納装置を有する冷蔵庫を示す。この冷蔵庫は、冷蔵庫本体11を有し、この冷蔵庫本体11内の上部側から順に収納装置を適用した収納庫としての冷蔵室12、野菜室13、冷凍室14、冷凍室15が形成され、各室12〜15の前面に扉体16〜19が開閉可能に配置されている。冷蔵庫本体11の下部側には、各室12〜15を各設定温度に冷却する冷却手段20が配設されている。
【００４０】
冷蔵室12は、左右両側の内壁21、背面側の内壁22、上面側の内壁23、下面側の内壁24を有し、前面が開口されており、この冷蔵室12内に冷蔵する物品を載せる複数の四角形状の棚板25が上下方向に間隔をあけて配置されている。
【００４１】
図１および図２に示すように、棚板25は、例えばアクリル樹脂などの導光性を有する透明な材料で形成され、冷蔵する物品を載せる四角形板状の平板部28を有し、この平板部28の周辺部には強度確保のためのリブ29が形成されている。このリブ29は平板部28の周辺部に沿って２重に形成され、このリブ29の部分には平板部28の上面側に突出する段差部30が形成されている。
【００４２】
棚板25の奥側の角部には、平板部28およびリブ29が略三角形状に切り欠かれて、これら平板部28およびリブ29の端面が臨み光を取り入れるための入光部（入射部）31が形成されている。
【００４３】
棚板25の平板部28の上面および下面の両面には、棚板25内を同行する光を棚板25外に出射させる複数の拡散手段32が形成されている。各拡散手段32は、略円形に形成され、平板部28の全域に等間隔毎に配列されている。
【００４４】
また、冷蔵室12の左右両側の内壁21には各棚板25を前方から着脱可能とする図示しない棚板支え部が設けられているとともに、冷蔵室12の左右両側の内壁21と背面側の内壁22との角部には各棚板25の入光部31に対向して光を入射させる照明手段35が固定されている。
【００４５】
照明手段35は、内壁21，22に固定される支持部36、この支持部36に取り付けられた複数の発光素子としての発光ダイオード素子37を備え、発光ダイオード素子37に対して冷蔵庫本体11側を通じて点灯電源の供給を可能とている。発光ダイオード素子37は、可視光を発するもので、例えば青色発光ダイオード素子や紫外発光ダイオード素子とこれらが発する光で励起して可視光を発光する蛍光体との組み合わせでもよい。
【００４６】
発光ダイオード素子37は、棚板25の平板部28の端面に対向して平板部28の中央域の方向に光軸が向くように配設された複数の発光ダイオード素子37aと、棚板25の周辺部であるリブ29の端面に対向してこのリブ29に沿って光軸が向くように配設された発光ダイオード素子37bとを有している。
【００４７】
そして、扉体16の開放時に発光ダイオード素子37に点灯電源が供給されて発光ダイオード素子37が点灯し、扉体16の閉鎖時に発光ダイオード素子37への点灯電源が遮断されて発光ダイオード素子37が消灯する。
【００４８】
発光ダイオード素子37の点灯時に、発光ダイオード素子37が発する光が棚板25に入射し、この棚板25内を導光してから出射する光で、冷蔵室12内を照明する。
【００４９】
すなわち、棚板25の平板部28の端面に対向して平板部28の中央域の方向に光軸が向くように配設された複数の発光ダイオード素子37aが発する光が棚板25の入光部31の平板部28の端面から入射し、平板部28内の全体に導光し、平板部28の上面および下面の各拡散手段32から上方および下方に光を出射する。平板部28の上面から上方に出射する光で棚板25に載る物品を下方から照明し、また、平板部28の下面から下方に出射する光で棚板25の下方で例えば下段の棚板25上に載る物品を上方から照明する。したがって、棚板25上の物品を場所に寄らずに均一に照明できる。
【００５０】
棚板25の周辺部であるリブ29の端面に対向してこのリブ29に沿って光軸が向くように配設された発光ダイオード素子37bが発する光が入光部31の平板部28の端面から入射し、リブ29全体に導光してリブ29全体が明るく光る。棚板25の周辺部が光ることにより、その光が冷蔵室12の内壁21，22で反射し、冷蔵室12全体を照明する。
【００５１】
このように、発光ダイオード素子37が発する光を棚板25の角部から入射させるため、発光ダイオード素子37の数が少ない場合でも、発光ダイオード素子37間で棚板25に暗部が生じることがなく、棚板25の輝度むらを低減できるとともに、冷蔵室12全体を明るくできる。
【００５２】
棚板25の周辺部に沿って光軸が向くように配設された発光ダイオード素子37bからの光で棚板25の周辺部を光らせるため、棚板25の周辺部に強度確保のためにリブ29が設けられている場合でも、棚板25の周辺部が明るく光り、それによって冷蔵室12の内壁21，22が明るく光り、庫内全体を明るくできる。
【００５３】
なお、棚板25の拡散手段32は、棚板25の上下面のいずれか一方のみに設けてもよいし、棚板25の全体に設けてもよい。
【００５４】
次に、図４に第２の実施の形態を示し、図４は収納装置の棚板部分の平面図である。
【００５５】
棚板25は、第１の実施の形態の棚板25の奥側の角部に入光部31を形成せず、その入光部31に代えて左右両側の辺部および後側の辺部を入光部41としている。
【００５６】
冷蔵室12の左右両側の内壁21および背面側の内壁22には、各棚板25を前方から着脱可能とする棚板支え部42が設けられているとともに、各棚板25の入光部41に対向して光を入射させる照明手段43が固定されている。
【００５７】
照明手段43は、棚板25の辺部に沿って対向して配設される線状発光体44、この線状発光体44の長手方向の端面から光を入射させる発光ダイオード素子37を備え、これら線状発光体44および発光ダイオード素子37が冷蔵室12の左右両側の内壁21および背面側の内壁22にそれぞれ固定されている。
【００５８】
線状発光体44は、例えばアクリル樹脂などの導光性を有する透明な材料で角柱状に形成され、長手方向の端面が発光ダイオード素子37からの光を入射する入射面とし、棚板25に対向する側面を光の出射面とするほか、上下面からも光が出射する。
【００５９】
そして、発光ダイオード素子37の点灯により、発光ダイオード素子37が発する光が線状発光体44の端面から入射し、線状発光体44全体が光る。この線状発光体44からの光が棚板25の周辺部の入光部41から棚板25内に入射し、この棚板25内を導光して上下面の各拡散手段32から出射し、冷蔵室12内を照明する。
【００６０】
各線状発光体44からの光は、冷蔵室12の内壁21，22で反射し、冷蔵室12全体を照明する。
【００６１】
このように、線状発光体44で発光ダイオード素子37が発する光を線状の光源に変換し、この線状発光体44からの光を棚板25に入射させるため、棚板25に暗部が生じることがなく、棚板25の輝度むらを低減できるとともに、冷蔵室12内全体を明るくできる。
【００６２】
また、冷蔵室12の内壁21，22と棚板25との間には隙間46があり、この隙間46に発光ダイオード素子37が配置されている。冷蔵室12内の冷気が隙間46を通じて流れ、この冷気によって発光ダイオード素子37を効率よく冷却でき、発光ダイオード素子37の発光効率を向上できる。
【００６３】
次に、図５ないし図７に第３の実施の形態を示し、図５は収納装置の棚板のリブが１重の場合の断面図、図６は収納装置の棚板のリブが２重の場合の断面図、図７は収納装置の断面図である。
【００６４】
図５に示すように、棚板25は、少なくとも後側の辺部であって平板部28の後端面を入光部41とし、この後側の辺部にはリブ29が１重に形成されている。
【００６５】
冷蔵室12の少なくとも背面側の内壁22には、各棚板25の入光部41に対向して光を入射させる照明手段51が固定されている。
【００６６】
この照明手段51は、冷蔵室12の背面側の内壁22で各棚板25の入光部41に対向する位置に沿って固定される横長の支持部52、この支持部52の長手方向に沿って各棚板25の入光部41に対向して配設される複数の発光ダイオード素子37、各発光ダイオード素子37が発する光を制光する複数の光制御手段53を備えている。
【００６７】
光制御手段53は、発光ダイオード素子37が発する光を入射して出射方向を制御するレンズ54を備えている。レンズ54は、発光ダイオード素子37に臨んで凹部55が形成され、この凹部55の発光ダイオード素子37に対向する面、凹部55の上面および下面をそれぞれ発光ダイオード素子37が発する光を入射する入射面56，57，58とし、レンズ54の外面を凸形の出射面59としている。
【００６８】
そして、発光ダイオード素子37の発光時において、発光ダイオード素子37から光軸方向に向かう光は、レンズ54の光軸方向の入射面56に入射するとともに出射面59から光軸方向に集光して出射し、棚板の平板部28の端面から平板部28内に効率的に入射し、平板部28内を導光して上下面の各拡散手段32から出射し、冷蔵室12内を照明する。
【００６９】
発光ダイオード素子37から上方に向かう光は、レンズ54の上面側の入射面57に入射して出射面59から上方に出射し、棚板25の段差部30を通じて、冷蔵室12の背面側の内壁22などを照明する。
【００７０】
発光ダイオード素子37から下方に向かう光は、レンズ54の下面側の入射面58に入射するとともに出射面59から冷蔵室12の背面側の内壁22とリブ29の下端との範囲を通じて出射し、冷蔵室12の背面側の内壁22および下側の棚板25上の物品などを照明する。
【００７１】
このように、光制御手段53で発光ダイオード素子37が発する光を棚板25の平板部28内と冷蔵室12の背面側の内壁22とに向けて振り分けるため、棚板25の平板部28内に効率的に光を入射させ、棚板25の平板部28から出射する光で冷蔵室12内の物品を明るく照明できるとともに、冷蔵室12の背面側の内壁22に効率的に光を照射でき、冷蔵室12内全体を明るくできる。
【００７２】
光制御手段53で発光ダイオード素子37が発する光を棚板25の下方に向けても振り分けるため、下側の棚板25上の物品を明るく照明できる。
【００７３】
そして、レンズ54を設けない場合とレンズ54を設けた場合とで、棚板25内、内壁22の上側、内壁22の下側へ至る発光ダイオード素子37からの光線の割合を測定した。レンズ54を設けない場合には、棚板25内が１０％、内壁22の上側が１４％、内壁22の下側が１０％であり、発光ダイオード素子37が発した光が拡散し、棚板25内に入射する光の割合が少なく、内壁22に向かう光の割合も少ない。それに対して、レンズ54を設けた場合には、棚板25内が２２％、内壁22の上側が２３％、内壁22の下側が２０％となり、発光ダイオード素子37が発した光をレンズ54で集光して棚板25内に入射する光の割合が多くなり、レンズ54による制光で内壁22に向かう光の割合も多くなり、上述した効果を確認できた。
【００７４】
また、図６には、リブ29が２重に形成されている棚板25を示すが、この棚板25の場合にも、光制御手段53で発光ダイオード素子37が発する光を棚板25の平板部28内と冷蔵室12の背面側の内壁22とに向けて振り分けることができ、同様の作用効果が得られる。
【００７５】
この場合、発光ダイオード素子37から上方に向かう光は、レンズ54の上面側の入射面57に入射して出射面59から冷蔵室12の背面側の内壁22とリブ29との範囲を通じて出射し、冷蔵室12の背面側の内壁22などを照明する。
【００７６】
冷蔵室12の内壁22と棚板25との間には隙間46があり、この隙間46に発光ダイオード素子37が配置されているため、隙間46を通じて流れる冷蔵室12内の冷気によって発光ダイオード素子37を効率よく冷却でき、発光ダイオード素子37の発光効率を向上できる。
【００７７】
なお、照明手段51は、冷蔵室12の背面側の内壁22に限らず、冷蔵室12の左右両側の内壁21，21に設けて棚板25の左右両側から照明してもよく、あるいは冷蔵室12の背面側の内壁22および左右両側の内壁21，21の３箇所に設けて棚板25の後側および左右両側の３方向から照明してもよい。
【００７８】
また、図７に示すように、棚板25の下面には、例えば白色塗装を施すなどして光を反射する下面反射手段65が形成されている。これにより、照明手段51のレンズ54によって上方へ出射された光を上段の棚板25の下面反射手段65で下方へ反射させるため、下方の棚板25上の物品を明るく照明できる。さらに、棚板25の拡散手段32から上方に出射した光を上段の棚板25の下面反射手段65で下方へ反射させ、下方の棚板25上の物品を明るく照明できる。
【００７９】
また、棚板25の前側の辺部に、棚板25内を導光する光を棚板25の下方に出射させる先端反射手段66が設けられている。これにより、照明手段51のレンズ54によって棚板25内に効率的に導光した光のうち、棚板25の前側の辺部まで到達した光を棚板25の下方に出射させるため、棚板25からの光の出射効率を向上でき、下方の棚板25上の物品を明るく照明できる。
【００８０】
また、先端反射手段66によって、棚板25内を導光する光を棚板25の上方に光を出射させてもよい。
【００８１】
また、照明手段51は、冷蔵室12の内壁22に埋め込み設置してもよく、この場合、レンズ54を内壁22から突出させれば、内壁22をも照明できる。
【００８２】
なお、収納装置は、冷蔵庫の冷蔵室12に限らず、商品ディスプレイや家具などにも適用できる。
【図面の簡単な説明】
【００８３】
【図１】本発明の第１の実施の形態を示す収納装置の棚板部分の平面図である。
【図２】同上棚板の入光部を示す断面図である。
【図３】同上収納装置を適用した冷蔵庫の断面図である。
【図４】第２の実施の形態を示す収納装置の棚板部分の平面図である。
【図５】第３の実施の形態を示す収納装置の棚板のリブが１重の場合の断面図である。
【図６】同上収納装置の棚板のリブが２重の場合の断面図である。
【図７】同上収納装置の断面図である。
【符号の説明】
【００８４】
11    冷蔵庫本体
12    収納庫としての冷蔵室
20    冷却手段
22    内壁
25    棚板
31    入光部
32    拡散手段
37    発光素子としての発光ダイオード素子
44    線状発光体
46    隙間
51    照明手段
53    光制御手段
65    下面反射手段
66    先端反射手段
【図１】
2007032861.tif 000003
【図２】
2007032861.tif 000004
【図３】
2007032861.tif 000005
【図４】
2007032861.tif 000006
【図５】
2007032861.tif 000007
【図６】
2007032861.tif 000008
【図７】
2007032861.tif 000009